(57)【特許請求の範囲】
【請求項１】
光源が実装された基板と、前記光源を冷却する放熱体と、前記光源を点灯する点灯回路基板と、前記点灯回路基板を収納するハウジングと、を備える照明装置において、
前記放熱体は、前記基板が装着され、中央部付近に穴が設けられる円盤部と、複数の放熱フィンとを有し、
前記ハウジングは、前記基板側の端部に、突出部が設けられ、
前記ハウジングの前記突出部が前記放熱体の前記円盤部に開けられた前記穴に圧入されて、前記放熱体と前記ハウジングとが固定され、
前記基板の中央部付近に、前記放熱体の前記円盤部の前記穴に対応する位置に位置決め穴が設けられ、
前記ハウジングの前記突出部が、前記基板の前記位置決め穴に挿入されることを特徴とする照明装置。
【請求項２】
前記ハウジングの前記突出部の基部に複数の基部フィンが設けられ、前記基部フィンが前記放熱体の前記円盤部の前記穴へ圧入されることを特徴とする請求項１記載の照明装置。
【請求項３】
前記基板は、前記放熱体の前記円盤部に、接着等により固定されることを特徴とする請求項２記載の照明装置。
【請求項４】
光源が実装された基板と、前記光源を冷却する放熱体と、前記光源を点灯する点灯回路基板と、前記点灯回路基板を収納するハウジングと、を備える照明装置において、
前記放熱体は、前記基板が装着され、中央部付近に穴が設けられる円盤部と、複数の放熱フィンとを有し、
前記ハウジングは、前記基板側の端部に、突出部が設けられ、
前記ハウジングの前記突出部が前記放熱体の前記円盤部に開けられた前記穴に圧入されて、前記放熱体と前記ハウジングとが固定され、
前記基板の中央部付近に、前記放熱体の前記円盤部の前記穴に対応する位置に位置決め穴が設けられ、
前記突出部が前記基板の前記位置決め穴へ圧入されることを特徴とする照明装置。
【請求項５】
光源が実装された基板と、前記光源を冷却する放熱体と、前記光源を点灯する点灯回路基板と、前記点灯回路基板を収納するハウジングと、を備える照明装置において、
前記放熱体は、前記基板が装着され、中央部付近に穴が設けられる円盤部と、複数の放熱フィンとを有し、
前記ハウジングは、前記基板側の端部に、突出部が設けられ、
前記ハウジングの前記突出部が前記放熱体の前記円盤部に開けられた前記穴に圧入されて、前記放熱体と前記ハウジングとが固定され、
前記ハウジングの前記突出部の基部に複数の基部フィンが設けられ、前記基部フィンが前記放熱体の前記円盤部の前記穴へ圧入され、
前記基板の中央部付近に、前記放熱体の前記円盤部の前記穴に対応する位置に位置決め穴が設けられ、
前記基部フィンが前記基板の前記位置決め穴へ圧入されることを特徴とする照明装置。
【請求項６】
前記放熱体は、外周面に前記円盤部から前記基板と反対側に延びて形成されるとともに、径方向に突出する三個以上の前記放熱フィンを有することを特徴とする請求項１乃至５のいずれかに記載の照明装置。
【請求項７】
照明器具に接続され、前記照明器具から電力を供給される口金を有し、
前記点灯回路基板を収納するハウジングは、前記放熱体に固定される側の放熱体側ハウジングと、前記口金に固定される口金側ハウジングとに分割され、
前記放熱体側ハウジングと、前記口金側ハウジングとは、嵌合により固定されることを特徴とする請求項１乃至６のいずれかに記載の照明装置。
【請求項８】
照明器具に接続され、前記照明器具から電力を供給される口金を有し、
前記点灯回路基板を収納するハウジングは、前記放熱体に固定される側の放熱体側ハウジングと、前記口金に固定される口金側ハウジングとに分割され、
前記放熱体と前記口金側ハウジングとが嵌合により固定されることにより、前記放熱体側ハウジングと前記口金側ハウジングとが間接的に固定されることを特徴とする請求項１乃至６のいずれかに記載の照明装置。
【請求項９】
光源が実装された基板と、前記光源を冷却する放熱体と、前記光源を点灯する点灯回路基板と、前記点灯回路基板を収納するハウジングと、を備える照明装置において、
前記放熱体は、前記基板が装着され、中央部付近に穴が設けられる円盤部と、複数の放熱フィンとを有し、
前記ハウジングは、前記基板側の端部に、突出部が設けられ、
前記ハウジングの前記突出部が前記放熱体の前記円盤部に開けられた前記穴に圧入されて、前記放熱体と前記ハウジングとが固定され、
照明器具に接続され、前記照明器具から電力を供給される口金を有し、
前記点灯回路基板を収納するハウジングは、前記放熱体に固定される側の放熱体側ハウジングと、前記口金に固定される口金側ハウジングとに分割され、
前記放熱体と前記口金側ハウジングとが嵌合により固定されることにより、前記放熱体側ハウジングと前記口金側ハウジングとが間接的に固定され、
前記放熱体と前記口金側ハウジングとは、双方に形成される係合爪により、係合により固定されることを特徴とする照明装置。
【請求項１０】
光源が実装された基板と、前記光源を冷却する放熱体と、前記光源を点灯する点灯回路基板と、前記点灯回路基板を収納するハウジングと、を備える照明装置において、
前記放熱体は、前記基板が装着され、中央部付近に穴が設けられる円盤部と、複数の放熱フィンとを有し、
前記ハウジングは、前記基板側の端部に、突出部が設けられ、
前記ハウジングの前記突出部が前記放熱体の前記円盤部に開けられた前記穴に圧入されて、前記放熱体と前記ハウジングとが固定され、
照明器具に接続され、前記照明器具から電力を供給される口金を有し、
前記点灯回路基板を収納するハウジングは、前記放熱体に固定される側の放熱体側ハウジングと、前記口金に固定される口金側ハウジングとに分割され、
前記放熱体と前記口金側ハウジングとが嵌合により固定されることにより、前記放熱体側ハウジングと前記口金側ハウジングとが間接的に固定され、
前記放熱体の前記複数の放熱フィンの中の所定の放熱フィンに凹部が下端部に設けられ、
前記口金側ハウジングの筒部に前記放熱体側に突出するように、前記凹部に対応する凸部が設けられ、
前記凸部が前記凹部に挿入されることにより、前記口金側ハウジングの回転が防止されることを特徴とする照明装置。
【請求項１１】
光源が実装された基板と、前記光源を冷却する放熱体と、前記光源を点灯する点灯回路基板と、前記点灯回路基板を収納するハウジングと、を備える照明装置において、
前記放熱体は、前記基板が装着され、中央部付近に穴が設けられる円盤部と、複数の放熱フィンとを有し、
前記ハウジングは、前記基板側の端部に、突出部が設けられ、
前記ハウジングの前記突出部が前記放熱体の前記円盤部に開けられた前記穴に圧入されて、前記放熱体と前記ハウジングとが固定され、
照明器具に接続され、前記照明器具から電力を供給される口金を有し、
前記点灯回路基板を収納するハウジングは、前記放熱体に固定される側の放熱体側ハウジングと、前記口金に固定される口金側ハウジングとに分割され、
前記放熱体と前記口金側ハウジングとが嵌合により固定されることにより、前記放熱体側ハウジングと前記口金側ハウジングとが間接的に固定され、
前記放熱体側ハウジングは、前記放熱体側を頂部とする円錐状であることを特徴とする照明装置。
【請求項１２】
前記光源は半導体発光素子であることを特徴とする請求項１乃至１１のいずれかに記載の照明装置。
【請求項１３】
前記半導体発光素子は発光ダイオード素子であることを特徴とする請求項１２記載の照明装置。
【発明の詳細な説明】
【技術分野】
【０００１】
この発明は、発光ダイオード素子を用いる照明装置に関する。
【背景技術】
【０００２】
放熱部に複雑なダイカスト構造の放熱フィンを使用することなしに放熱効果を高めると共に機械的強度を高めたＬＥＤ（発光ダイオード）電球を提供するために、ＬＥＤ素子が取付けられたＬＥＤモジュールと、ＬＥＤモジュールが固定されＬＥＤモジュールで発生する熱を外部に伝達する放熱プレートと、放熱プレートが載置され内部に電源基板が収容された金属製のカバー部材と、が備えられ、放熱プレートは縁部が形成され、縁部の外面とカバー部材の段部の内面は密着する構成としたＬＥＤ電球が提案されている（例えば、特許文献１参照）。
【０００３】
また、ＬＥＤ電球に用いられている連結部材は合成樹脂であるので、外郭部材と口金とを電気的に絶縁しているが、外郭部材内の点灯回路が発火すると、連結部材が熱で溶融などして変形してしまい、場合によっては連結体自体も発火してしまうという課題があった。その課題を解決するために、電源の供給を受けて機能する熱源からの発熱を放熱する放熱部等の導電部材と、熱源に電源を供給する外部電源に接続する電源接続部とを連結する連結体であって、連結体は、導電部材と電源接続部を電気的に絶縁するために電気的絶縁性を有し、さらに熱源からの熱による変形を防止するために耐熱性を有することを特徴とする照明装置が提案されている（例えば、特許文献２参照）。
【０００４】
特許文献１及び特許文献２に記載されているように、ＬＥＤ電球のように発光ダイオード素子を利用し、小形で従来の白熱電球と同様の形をした照明装置においては、発光ダイオード素子の発熱により発光ダイオードの寿命が短くなるという課題がある。そのため、現在ほぼ全てのＬＥＤ電球において放熱体が設けられている。そして、放熱体がより効果的に熱を放熱させるように、放熱体、発光ダイオード素子及び点灯回路基板の配置が検討されている。
【０００５】
従って、従来の白熱電球のようなガラスの熱加工やカソードの封止といった熟練を要する生産工程は存在しないものの、ＬＥＤ電球の部品点数は白熱電球より多く、工程も複雑である。
【０００６】
図１４は従来の照明装置４００の分解斜視図である。従来の照明装置４００は、図１４に示すように、以下に示す部品で構成されている。
（１）透光カバー４０１；
（２）複数個の固定ネジ４０２；
（３）発光ダイオード素子を実装した発光ダイオード基板４０３；
（４）発光ダイオード素子を冷却する放熱体４０４；
（５）点灯回路基板４０６を収納するハウジング４０５；
（６）発光ダイオード素子の発光を制御する点灯回路基板４０６；
（７）口金側ハウジング４０７；
（８）口金４０８。
【０００７】
このような部品で構成される照明装置４００は、通常発光ダイオード基板４０３、放熱体４０４、点灯回路基板４０６及び点灯回路基板４０６を収納するハウジング４０５が、複数の固定ネジ４０２で固定されている。また、このときのこれら部品（発光ダイオード基板４０３、放熱体４０４、点灯回路基板４０６及び点灯回路基板４０６を収納するハウジング４０５）の位置合わせは、複数の固定ネジ４０２とネジ穴（図示せず）を合致させ、固定ネジ４０２を挿入することによって行う。
【０００８】
特許文献１、特許文献２に記載されたＬＥＤ電球、照明装置においても、上記照明装置４００と略同様の方法で、行われる。
【先行技術文献】
【特許文献】
【０００９】
【特許文献１】実用新案登録第３１５９０８４号
【特許文献２】特開２０１０−３５８０号公報
【発明の概要】
【発明が解決しようとする課題】
【００１０】
これら部品（発光ダイオード基板４０３、放熱体４０４、点灯回路基板４０６及び点灯回路基板４０６を収納するハウジング４０５）の位置合わせ及び固定ネジ４０２の締結には、多くの時間を要していた。このような工程は、生産ラインの自動化に不向きである。また、手作業が主体となる生産工場においても、加工費の上昇が懸念されており、上記工程の簡略化は例外なく急務となっている。
【００１１】
この発明は、上記のような課題を解決するためになされたもので、組立工程が簡略化され、自動化が容易な発光ダイオード素子を用いる照明装置を提供する。
【課題を解決するための手段】
【００１２】
この発明に係る照明装置は、光源が実装された基板と、光源を冷却する放熱体と、光源を点灯する点灯回路基板と、点灯回路基板を収納するハウジングと、を備える照明装置において、
放熱体は、基板が装着され、中央部付近に穴が設けられる円盤部と、複数の放熱フィンとを有し、
ハウジングは、基板側の端部に、突出部が設けられ、
ハウジングの突出部が放熱体の円盤部に開けられた穴に圧入されて、放熱体とハウジングとが固定されることを特徴とする。
【００１３】
この発明に係る照明装置は、ハウジングの突出部の基部に複数の基部フィンが設けられ、基部フィンが放熱体の円盤部の穴へ圧入されることを特徴とする。
【００１４】
この発明に係る照明装置は、基板の中央部付近に、放熱体の円盤部の前記穴に対応する位置に位置決め穴が設けられ、ハウジングの突出部が、基板の位置決め穴に挿入されることを特徴とする。
【００１５】
この発明に係る照明装置は、基板が放熱体の円盤部に接着等により固定されることを特徴とする。
【００１６】
この発明に係る照明装置は、基板の中央部付近に、放熱体の円盤部の穴に対応する位置に位置決め穴が設けられ、突出部が基板の位置決め穴へ圧入されることを特徴とする。
【００１７】
この発明に係る照明装置は、基板の中央部付近に、放熱体の円盤部の穴に対応する位置に位置決め穴が設けられ、基部フィンが基板の位置決め穴へ圧入されることを特徴とする。
【００１８】
この発明に係る照明装置は、放熱体が、外周面に円盤部から基板と反対側に延びて形成されるとともに、径方向に突出する三個以上の放熱フィンを有することを特徴とする。
【００１９】
この発明に係る照明装置は、照明器具に接続され、照明器具から電力を供給される口金を有し、
点灯回路基板を収納するハウジングは、放熱体に固定される側の放熱体側ハウジングと、口金に固定される口金側ハウジングとに分割され、
放熱体側ハウジングと、口金側ハウジングとは、嵌合により固定されることを特徴とする。
【００２０】
この発明に係る照明装置は、照明器具に接続され、照明器具から電力を供給される口金を有し、
点灯回路基板を収納するハウジングは、放熱体に固定される側の放熱体側ハウジングと、口金に固定される口金側ハウジングとに分割され、
放熱体と口金側ハウジングとが嵌合により固定されることにより、放熱体側ハウジングと口金側ハウジングとが間接的に固定されることを特徴とする。
【００２１】
この発明に係る照明装置は、放熱体側ハウジングと口金側ハウジングとは、双方に形成される係合爪により、係合により固定されることを特徴とする。
【００２２】
この発明に係る照明装置は、放熱体の複数の放熱フィンの中の所定の放熱フィンに凹部が下端部に設けられ、
口金側ハウジングの筒部に放熱体側に突出するように、凹部に対応する凸部が設けられ、
凸部が凹部に挿入されることにより、口金側ハウジングの回転が防止されることを特徴とする。
【００２３】
この発明に係る照明装置は、放熱体側ハウジングが、放熱体側を頂部とする円錐状であることを特徴とする。
【００２４】
この発明に係る照明装置は、光源が半導体発光素子であることを特徴とする。
【００２５】
この発明に係る照明装置は、半導体発光素子が発光ダイオード素子であることを特徴とする。
【発明の効果】
【００２６】
この発明に係る照明装置は、ハウジングの突出部が放熱体の円盤部に開けられた穴に圧入されて、放熱体とハウジングとが固定されるので、組立工程が簡略化され、自動化が容易である。
【図面の簡単な説明】
【００２７】
【図１】実施の形態１を示す図で、照明装置１００の斜視図。
【図２】実施の形態１を示す図で、照明装置１００の分解斜視図。
【図３】実施の形態１を示す図で、放熱体１０４の斜視図。
【図４】実施の形態１を示す図で、放熱体側ハウジング１０５の斜視図。
【図５】実施の形態１を示す図で、放熱体側ハウジング１０５、放熱体１０４及び発光ダイオード基板１０３が組み合わされた状態を示す図。
【図６】実施の形態２を示す図で、照明装置２００の斜視図。
【図７】実施の形態２を示す図で、照明装置２００の分解斜視図。
【図８】実施の形態２を示す図で、放熱体２０４の斜視図。
【図９】実施の形態２を示す図で、放熱体側ハウジング２０５の斜視図。
【図１０】実施の形態２を示す図で、発光ダイオード基板２０３の斜視図。
【図１１】実施の形態２を示す図で、放熱体２０４及び口金側ハウジング２０７の斜視図。
【図１２】実施の形態２を示す図で、口金側ハウジング２０７の拡大斜視図。
【図１３】実施の形態３を示す図で、ハウジング３０５、放熱体３０４及び発光ダイオード基板３０３が組み合わされた状態を示す図。
【図１４】従来の照明装置４００の分解斜視図。
【発明を実施するための形態】
【００２８】
実施の形態１．
図１、図２は実施の形態１を示す図で、図１は照明装置１００の斜視図、図２は照明装置１００の分解斜視図である。図１に示す照明装置１００は、発光ダイオード（ＬＥＤ）素子を光源とする電球形のＬＥＤランプである。図１に示す各符号については、ここでは説明を省略する。
【００２９】
図２の分解斜視図を参照しながら、照明装置１００の構成を説明する。照明装置１００は、以下に示す部品を備える。
（１）透光性を有する樹脂製の透光カバー１０１；
（２）発光ダイオード素子１０３ａ（半導体素子、光源、ここでは６個）を実装した発光ダイオード基板１０３（基板）；
（３）透光カバー１０１側の端部に、発光ダイオード基板１０３を搭載する円盤状の円盤部１０４ａ  （平面部）を有する放熱体１０４；
（４）点灯回路基板１０６を収納する放熱体側ハウジング１０５；
（５）発光ダイオード素子１０３ａの発光を制御する点灯回路基板１０６；
（６）点灯回路基板１０６の一部を収納し、口金１０８に固定される口金側ハウジング１０７；
（７）照明器具に接続され、照明器具から電力が供給される口金１０８。
尚、放熱体側ハウジング１０５と口金側ハウジング１０７とで、「ハウジング」を構成する。放熱体側ハウジング１０５と口金側ハウジング１０７とは、嵌合により固定される。
【００３０】
図３は実施の形態１を示す図で、放熱体１０４の斜視図である。図３に示すように、放熱体１０４は、円盤部１０４ａから発光ダイオード素子１０３ａを実装した発光ダイオード基板１０３の反対側に突出した、テーパー形状（円盤部１０４ａ側の径が大きく、円盤部１０４ａの反対側に向かって径が徐々に小さくなる）の略円筒状のキャップ形状になっている。略円筒状の外周面に、円盤部１０４ａ側から反対側に向かって延びる複数の放熱フィン１０４ｂを有する。放熱体１０４の円盤部１０４ａの中央部付近には穴１０４ｃが設けられている。
【００３１】
図４は実施の形態１を示す図で、放熱体側ハウジング１０５の斜視図である。図４に示すように、点灯回路基板１０６を収納する放熱体側ハウジング１０５の発光ダイオード素子１０３ａ（光源）を実装した発光ダイオード基板１０３側には、突出部１０５ａが設けられる。そして、突出部１０５ａの基部には、突出部１０５ａより４方向（径方向）に突き出した基部フィン１０５ｂが設けられている。
【００３２】
放熱体１０４の円盤部１０４ａの中央部付近に設けられている穴１０４ｃに、点灯回路基板１０６を収納する放熱体側ハウジング１０５の突出部１０５ａより突き出した基部フィン１０５ｂが圧入されることにより、放熱体１０４と点灯回路基板１０６を収納する放熱体側ハウジング１０５が固定される。
【００３３】
図５は実施の形態１を示す図で、放熱体側ハウジング１０５、放熱体１０４及び発光ダイオード基板１０３が組み合わされた状態を示す図である。
【００３４】
図５に示すように、放熱体１０４の円盤部１０４ａの中央部付近に設けられた穴１０４ｃより放熱体側ハウジング１０５の突出部１０５ａが発光ダイオード素子１０３ａを実装した発光ダイオード基板１０３方向に突出する。
【００３５】
さらに、発光ダイオード素子１０３ａを実装した発光ダイオード基板１０３の中央部付近に設けられた位置決め穴１０３ｂに、放熱体側ハウジング１０５の突出部１０５ａが挿入されることにより、発光ダイオード基板１０３の位置決めが行われる。
【００３６】
発光ダイオード素子１０３ａを実装した発光ダイオード基板１０３と放熱体１０４の円盤部１０４ａとは、接着剤、粘着テープ、小形のネジなどで固定される（図示せず）。
【００３７】
点灯回路基板１０６を収納する放熱体側ハウジング１０５と、口金１０８側の口金側ハウジング１０７は嵌合により固定される（図示せず）。口金側ハウジング１０７は、口金１０８と嵌合または螺合により固定される（図示せず）。
【００３８】
本実施の形態によれば、放熱体側ハウジング１０５の突出部１０５ａが放熱体１０４の円盤部１０４ａに開けられた穴１０４ｃに圧入されて、放熱体１０４と放熱体側ハウジング１０５とが固定されるので、工程を簡略化し、自動化が容易である。
【００３９】
また、放熱体側ハウジング１０５の突出部１０５ａの基部に複数の基部フィン１０５ｂが設けられ、基部フィン１０５ｂが放熱体１０４の円盤部１０４ａの穴１０４ｃへ圧入されるので、より少ない力で圧入を行うことができる。
【００４０】
また、発光ダイオード基板１０３の中央部付近に、放熱体１０４の円盤部１０４ａの穴１０４ｃに対応する位置に位置決め穴１０３ｂが設けられ、放熱体側ハウジング１０５の突出部１０５ａが、放熱体１０４の円盤部１０４ａの穴１０４ｃ及び発光ダイオード基板１０３の位置決め穴１０３ｂに挿入されるので、発光ダイオード基板１０３の位置決めが容易となり、工程の自動化が容易である。
【００４１】
また、放熱体１０４は、外周面に円盤部１０４ａから発光ダイオード基板１０３と反対側に延びて形成されるとともに、径方向に突出する三個以上の放熱フィン１０４ｂを有するので、通風が良くなり、冷却効率を向上させることができる。
【００４２】
実施の形態２．
図６、図７は実施の形態２を示す図で、図６は照明装置２００の斜視図、図７は照明装置２００の分解斜視図である。図６に示す照明装置２００も、発光ダイオード（ＬＥＤ）素子を光源とする電球形のＬＥＤランプである。図６に示す各符号については、ここでは説明を省略する。
【００４３】
図７の分解斜視図を参照しながら、照明装置２００の構成を説明する。照明装置２００は、以下に示す部品を備える。
（１）透光性を有する樹脂製の透光カバー２０１；
（２）発光ダイオード素子２０３ａ（半導体素子、光源）を実装した発光ダイオード基板２０３（基板）；
（３）透光カバー２０１側の端部に、発光ダイオード基板２０３を搭載する円盤状の円盤部２０４ａ  （平面部）を有する放熱体２０４；
（４）点灯回路基板２０６を収納する放熱体側ハウジング２０５；
（５）発光ダイオード素子２０３ａの発光を制御する点灯回路基板２０６；
（６）点灯回路基板２０６の一部を収納し、口金２０８に固定される口金側ハウジング２０７；
（７）照明器具に接続され、照明器具から電力が供給される口金２０８。
尚、放熱体側ハウジング２０５と口金側ハウジング２０７とで、「ハウジング」を構成する。
【００４４】
図８は実施の形態２を示す図で、放熱体２０４の斜視図である。図８に示すように、放熱体２０４は、円盤部２０４ａから発光ダイオード基板２０３の反対側に突出した複数（ここでは、８個）の放熱フィン２０４ｂを有する。隣接する放熱フィン２０４ｂの間はスリット（空間）になっている。８個の放熱フィン２０４ｂは、円盤部２０４ａ側から反対側に向かって径が細くなるキャップ状に配置される。夫々の放熱フィン２０４ｂは、周方向に略等間隔に配置されている。
【００４５】
点灯回路基板２０６を収納するハウジングは、放熱体２０４の円盤部２０４ａに固定される放熱体側ハウジング２０５と、口金２０８に固定される口金側ハウジング２０７とから構成される。
【００４６】
図９は実施の形態２を示す図で、放熱体側ハウジング２０５の斜視図である。図９に示すように、放熱体側ハウジング２０５の発光ダイオード基板２０３側端部に、突出部２０５ａが設けられている。さらに、突出部２０５ａの基部には、突出部２０５ａより４方向（径方向）に突き出した基部フィン２０５ｂが設けられている。
【００４７】
放熱体２０４の円盤部２０４ａの中央部付近には穴２０４ｃが設けられている。点灯回路基板２０６を収納する放熱体側ハウジング２０５の突出部２０５ａより径方向に突き出した基部フィン２０５ｂが、穴２０４ｃに圧入されることにより、放熱体２０４と放熱体側ハウジング２０５とが固定される。
【００４８】
図１０は実施の形態２を示す図で、発光ダイオード基板２０３の斜視図である。放熱体側ハウジング２０５の突出部２０５ａが、放熱体２０４の円盤部２０４ａの中央部付近に設けられた穴２０４ｃより、発光ダイオード基板２０３方向に挿入され、さらに発光ダイオード基板２０３の中央部付近に設けられた位置決め穴２０３ｂに挿入される。それにより、発光ダイオード基板２０３の位置決めが行われる（図示せず）。
【００４９】
発光ダイオード素子２０３ａを実装した発光ダイオード基板２０３と放熱体２０４の円盤部２０４ａとは、接着剤、粘着テープ、小形のネジなどで固定される（図示せず）。
【００５０】
図１１、図１２は実施の形態２を示す図で、図１１は放熱体２０４及び口金側ハウジング２０７の斜視図、図１２は口金側ハウジング２０７の拡大斜視図である。
【００５１】
図８、図１１、図１２に示すように、放熱体２０４の４個の放熱フィン２０４ｂの下端部に、係合爪２０４ｅ（溝部）が設けられる。また、口金側ハウジング２０７の放熱体２０４側端部に形成された筒部２０７ｃの外周に、４個の係合爪２０７ａ（突起部）が設けられる。
【００５２】
係合爪２０４ｅ（溝部）と係合爪２０７ａ（突起部）とが係合することにより、放熱体２０４と口金側ハウジング２０７とが、係合し固定される。
【００５３】
このとき、放熱体２０４の別の３個の放熱フィン２０４ｂの下端部には凹部２０４ｄが設けられる。口金側ハウジング２０７の筒部２０７ｃに放熱体２０４側に突出するように、三箇所に凸部２０７ｂが設けられる。
【００５４】
凸部２０７ｂが凹部２０４ｄに挿入されることにより、放熱体２０４に爪（係合爪２０４ｅ（溝部）、係合爪２０７ａ（突起部））で固定された口金側ハウジング２０７が回転することを防止する。
【００５５】
また、放熱体側ハウジング２０５の口金２０８側端部の筒部２０５ｃが、口金側ハウジング２０７の筒部２０７ｃ（内周部）に挿入されることにより、放熱体側ハウジング２０５と口金側ハウジング２０７は結合される（図示せず）。口金側ハウジング２０７は、口金２０８と嵌合または螺合により固定される（図示せず）。
【００５６】
本実施の形態は、口金側ハウジング２０７及び放熱体側ハウジング２０５の内部に点灯回路基板２０６を収納し、口金側ハウジング２０７と放熱体側ハウジング２０５とは、筒部（筒部２０５ｃ、筒部２０７ｃ）同士の挿入による不完全な結合状態である。
【００５７】
点灯回路基板２０６、放熱体側ハウジング２０５を間にして、放熱体２０４の係合爪２０４ｅ（溝部）と、口金側ハウジング２０７の係合爪２０７ａ（突起部）とが係合することにより、放熱体２０４と口金側ハウジング２０７とが、係合し固定される点に特徴がある。
【００５８】
放熱体側ハウジング２０５は、図９に示したように放熱体２０４側を頂部とする円錐状であり、放熱体側ハウジング２０５内に収納される点灯回路基板２０６も、この形状に沿って、放熱体側ハウジング２０５側が細くなるテーパー形状をしている。
【００５９】
本実施の形態によれば、点灯回路基板２０６を収納するハウジングが、放熱体側ハウジング２０５と口金側ハウジング２０７とに分割されているので、点灯回路基板２０６のハウジングへの収納が容易となる。
【００６０】
放熱体側ハウジング２０５と口金側ハウジング２０７とがそれぞれ放熱体２０４に固定されるため、放熱体側ハウジング２０５と口金側ハウジング２０７とを固定する必要が無くなり、工程を簡略化し、自動化が容易である。
【００６１】
口金側ハウジング２０７が、放熱体２０４の放熱フィン２０４ｂとの爪（係合爪２０４ｅ（溝部）、係合爪２０７ａ（突起部））による固定という強固かつ簡単な方法で固定されるため、工程を簡略化し、自動化が容易である。
【００６２】
口金側ハウジング２０７に設けられた凸部２０７ｂの、放熱体２０４の放熱フィン２０４ｂに設けられた凹部２０４ｄへの挿入という簡単な方法によって口金側ハウジング２０７が回転することを防ぐことができる。
【００６３】
実施の形態３．
図１３は実施の形態３を示す図で、ハウジング３０５、放熱体３０４及び発光ダイオード基板３０３が組み合わされた状態を示す図である。
【００６４】
図１３に示すように、点灯回路基板を収納するハウジング３０５の発光ダイオード基板３０３（基板）側には、突出部３０５ａが設けられている。突出部３０５ａの基部には、突出部３０５ａより４方向（径方向）に突き出した基部フィン３０５ｂが設けられている。
【００６５】
放熱体３０４の円盤部３０４ａの中央部付近には穴３０４ｃが設けられている。穴３０４ｃに点灯回路基板を収納するハウジング３０５の突出部３０５ａより突き出した基部フィン３０５ｂが圧入されることにより、放熱体３０４とハウジング３０５が固定される。
【００６６】
このとき、ハウジング３０５の基部フィン３０５ｂが、発光ダイオード基板３０３方向に突出し、発光ダイオード基板３０３の中央部付近に設けられた位置決め穴３０３ｂに同時に圧入される。
【００６７】
これにより、発光ダイオード基板３０３の位置決めが行われると同時に、一度にハウジング３０５、放熱体３０４及び発光ダイオード基板３０３が固定される。その他の構成は、実施の形態１と同じである。
【符号の説明】
【００６８】
１００  照明装置、１０１  透光カバー、１０３  発光ダイオード基板、１０３ａ  発光ダイオード素子、１０４  放熱体、１０４ａ  円盤部、１０４ｂ  放熱フィン、１０４ｃ  穴、１０５  放熱体側ハウジング、１０５ａ  突出部、１０５ｂ  基部フィン、１０６  点灯回路基板、１０７  口金側ハウジング、１０８  口金、２００  照明装置、２０１  透光カバー、２０３  発光ダイオード基板、２０３ａ  発光ダイオード素子、２０３ｂ  位置決め穴、２０４  放熱体、２０４ａ  円盤部、２０４ｂ  放熱フィン、２０４ｃ  穴、２０４ｄ  凹部、２０４ｅ  係合爪、２０５  放熱体側ハウジング、２０５ａ  突出部、２０５ｂ  基部フィン、２０５ｃ  筒部、２０６  点灯回路基板、２０７  口金側ハウジング、２０７ａ  係合爪、２０７ｂ  凸部、２０７ｃ  筒部、２０８  口金、３０３  発光ダイオード基板、３０３ｂ  位置決め穴、３０４  放熱体、３０４ａ  円盤部、３０４ｃ  穴、３０５  ハウジング、３０５ａ  突出部、３０５ｂ  基部フィン、４００  照明装置、４０１  透光カバー、４０２  固定ネジ、４０３  発光ダイオード基板、４０４  放熱体、４０５  ハウジング、４０６  点灯回路基板、４０７  口金側ハウジング、４０８  口金。
【図１】
0005591726.tif 000002
【図２】
0005591726.tif 000003
【図３】
0005591726.tif 000004
【図４】
0005591726.tif 000005
【図５】
0005591726.tif 000006
【図６】
0005591726.tif 000007
【図７】
0005591726.tif 000008
【図８】
0005591726.tif 000009
【図９】
0005591726.tif 000010
【図１０】
0005591726.tif 000011
【図１１】
0005591726.tif 000012
【図１２】
0005591726.tif 000013
【図１３】
0005591726.tif 000014
【図１４】
0005591726.tif 000015